(57)【特許請求の範囲】
【請求項１】
構造物に固定されるブラケットと、該ブラケットに上下スライド可能に取り付けられ、その外側面に養生シートまたはネットを貼設する足場フレームとを備えた足場／養生ユニットにおいて、
相互に上下動自在に係合する縦材に、クランプを備えた横バーを上下間隔を存して設け、この上下段の横バーに養生シートまたはネットの掛止用として上下方向の棒体を渡すように取り付けた連結装置を該クランプで足場フレームに取り付け、この連結装置で隣接する足場フレームを連結したことを特徴とする足場／養生ユニット。
【請求項２】
足場フレームは、建物の２フロア分を一度地上で組んで、屋上まであげ、建物を１フロアづつ補修しながら下がってくる請求項１記載の足場／養生ユニット。
【請求項３】
ブラケットは、ブラケット自体を構造物に固定するための取付部として機能するＬ字状部材またはＩ字状部材と把持部材と、ブラケットに対して足場フレームを固定する機能を有している固定部とで構成し、把持部材を残して、固定部との係合で、Ｌ字状部材またはＩ字状部材を回転または引き込みで足場フレーム側に取り込み、足場フレームに付けたままで移動する請求項１または請求項２記載の足場／養生ユニット。
【請求項４】
縦材に、足場フレームへのクランプを備えた横バーを上下間隔を存して設け、上下段に並ぶ横バーに養生シートまたはネットの掛止用として上下方向の棒体を渡すように縦材に近接させて取り付け、この縦材を相互に上下動自在に係合させることを特徴とした足場／養生ユニットの連結装置。
【発明の詳細な説明】
【技術分野】
【０００１】
本発明は、中・低層マンション等のビルの改修用の足場／養生ユニットに関するものである。
【背景技術】
【０００２】
中・低層マンション等の共同住宅建物の外壁の塗装、タイル修理、目地の修理等の改修工事では、落下養生や外部への塵埃の飛散防止、防音等を目的として建物の外周を覆う養生ネット等の外部養生体を備えた枠組足場が使用される。
【０００３】
従来一般に知られている枠組足場は地上より立設する形態のものであり、建物の外周全体を覆うようなもので、組立・解体に多大な手間とコストがかかる。
【０００４】
また、工事が終了した階の外側にも足場が残っており、かなりの期間、邪魔になる。特に、養生シートや養生ネットは採光や眺望を妨げるものであり、工事が終わった部屋の前でも足場が残っているとうっとうしいものである。
【０００５】
下記特許文献の足場／養生ユニットは、いわゆる枠組足場を用いて地上より立設する形態のものでは足場の組立・解体に多大な手間とコストがかかるので、地上ではなく施工中の建物に支持させて設置し、施工の進捗にともなって外部養生体全体を順次上方へ盛り替えていくという工法の１つであり、盛り替えを行いやすく、様々な構造物に対して柔軟に対応することの可能なものとして提案されている。
【特許文献１】特開２００４−３６０２１４号公報
【０００６】
この特許文献１の足場／養生ユニットは、図３３、図３４に示すように、縦方向のスチール製の柱材１１と横方向の連結材１２とこれらの間に配されたブレース１３と、これらの間に架けられた足場板１４とで構成された足場フレーム１と、この足場フレーム１を建設中の建築物などの構造物に対して固定するためのブラケット２とからなる。足場フレーム１の最も外側には、落下／転落防止用のネット１０が貼られる。
【０００７】
構造物側の柱材１１にガイドレール１５を全長にわたって固定し、ブラケット２は構造物の逆梁０ａに固定している。図中１６は、足場板１４と構造物との間の隙間を埋めるための隙間プレートで、足場板１４の上方側に畳むことができる。
【０００８】
ブラケット２は、図３５に示すように、Ｌ字状部材２０、把持部材２１、及び、回動可能な固定部２２を有している。Ｌ字状部材２０と把持部材２１とが、ブラケット２自体を構造物に固定するための取付部として機能する。固定部２２が、足場フレーム１の固定／非固定を選択的に行えると共に、足場フレーム１の上下スライド時に足場フレーム１と干渉しない位置に待避できるように移動可能に取付部（２０、２１）に取り付けられている。
【０００９】
足場ユニットは、通常、構造物に対して固定されていて、当該階の施工が（ほぼ）終了して下層階に足場ユニットは不要となり、かつ、さらに上層階が施工されて上層階に足場ユニットが必要な状況が生じると、足場ユニットを上層階に移動させる。
【００１０】
まず、ブラケット２による固定を解いても足場フレーム１が落下しないように足場フレーム１を電気チェーンブロック等で吊り、隙間プレート１６を跳ね上げておくと共に、足場フレーム１とブラケット２との間の固定を解除してブラケット２の固定部２２も跳ね上げておく。
【００１１】
固定部２２は、取付部２０ｅでの固定を解除して、取付部２０ｆを中心に回動させて跳ね上げることで、足場フレーム１の上下スライド時に足場フレーム１と干渉しない位置に待避されることとなる。
【００１２】
この状態で、電気チェーンブロックで足場フレーム１を上方にスライドさせる。このとき、足場フレーム１は、そのガイドレール１５がブラケット２のガイド部材２０ａによってガイドされているため、スムーズにスライドされる。また、ガイドレール１５がブラケット２のガイド部材２０ａによってガイドされているため、足場フレーム１が構造物から離れてしまうようなことがなく、風の影響を抑制して盛替え（足場フレーム１のスライド）を行うことができる。
【００１３】
足場フレーム１を所定の位置までスライドさせたら、再度ブラケット２の固定部２２を用いてフレーム１を固定する。
【００１４】
下記特許文献は、外部養生体ユニットが、複数互いに側部どうしを連結されることで構築中の建物の上部側面を覆うように配置されるようにしたものである。
【特許文献２】特開２００４−６８４１２号公報
【００１５】
隣り合う外部養生体ユニットの外部補助建地材同士は、伸縮可能なスライディングダンパによって連結されている。スライディングダンパはその構成部材としてのパイプ材が外周補助建地材内に上下方向へ移動可能に嵌合されている。
【００１６】
このため、スライディングダンパで隣接する外部養生体ユニットどうしを連結した状態のまま、その内の一つの外部養生体ユニットをスライディングさせることができる。また、このとき、吊り上げ機構による吊り上げ位置等の関係で、外部養生体ユニットに偏荷重が加わって変形し、これに伴い、隣接する両外部養生体ユニット同士の距離が変わる場合でも、外筒とそれに嵌合している内筒とが軸線方向へ相対移動可能になっていて、これにより同距離が変わることを吸収するから、引張力や圧縮力を作用させることなく、同外部養生体ユニットをスムーズにスライディングさせることができる。
【発明の開示】
【発明が解決しようとする課題】
【００１７】
前記特許文献１では、ガイドレールを足場フレームに設ける必要があり、かつ、このガイドレールは、丸パイプ材であり、一定間隔毎に設けられたステーを介して縦材に対して溶接固定されている。
【００１８】
従って、足場フレーム自体は従来から一般的に用いられている足場のフレームとほとんど同様であるとしてもガイドレールを取り付けることにより、分解不能な特殊なものになってしまい、通常のものへの転用等で難がある。また、足場のフレームがいわゆる枠組み足場を用いるもので、枠部材等に分離・分解できるような場合には特にこのガイドレールの取り付けは、溶接固定するのでは、分離・分解ができなくなることになる。
【００１９】
なお、足場フレームではなく、ゴンドラを使用することも考えられるが、ゴンドラはレール等が必要であり、また、その都度、養生をしなければならないし、さらに、ある程度風が吹くと使用が中止になってしまう。
【００２０】
また、前記特許文献２では、外部養生体ユニットが複数互いに側部同士を連結するのに、外部補助建地材同士は伸縮可能なスライディングダンパによって連結するものであるが、まず、この外部補助建地材をどのように設けるかは不明であり、その取付方によっては、外部養生体ユニット自体の分離・分解性を損なう。
【００２１】
また、この特許文献２では、養生ネットは図面を見る限り、隣の外部養生体ユニットの外部補助建地材に係止することで、隣接する外部養生体ユニット同士に跨って貼られており、外部養生体ユニットのスライドの際には外さねばならない。
【００２２】
本発明の目的は前記従来例の不都合を解消し、構造物に固定されるブラケットと、該ブラケットに上下スライド可能に取り付けられ、その外側面に養生シートまたはネットを貼設する足場フレームとを備えた足場／養生ユニットにおいて、建物の外部養生としては、工事が終わった部屋の前には足場フレームが残ることがないように移動できるので邪魔にならず、しかも、隣接する足場フレームが盛り替え時に風にあおられて不安定になるような心配もなく、また、養生シートまたはネットは足場フレームの移動の邪魔にならないようにして貼ることができるとともになるべく隙間を生じないように貼ることができ、かつ、連結装置は足場フレームに簡単に着脱自在に取り付けることができ、足場フレーム本体部分には加工をほどこさないで設けることができるので、連結装置を含めて全体の組立・解体が容易に行えて異なる現場への転用が可能である足場／養生ユニットおよびその連結装置を提供することにある。
【課題を解決するための手段】
【００２３】
前記目的を達成するため請求項１記載の本発明は、構造物に固定されるブラケットと、該ブラケットに上下スライド可能に取り付けられ、その外側面に養生シートまたはネットを貼設する足場フレームとを備えた足場／養生ユニットにおいて、相互に上下動自在に係合する縦材に、クランプを備えた横バーを上下間隔を存して設け、この上下段の横バーに養生シートまたはネットの掛止用として上下方向の棒体を渡すように取り付けた連結装置を該クランプで足場フレームに取り付け、この連結装置で隣接する足場フレームを連結したこと要旨とするものである。
【００２４】
請求項４記載の本発明は、縦材に、足場フレームへのクランプを備えた横バーを上下間隔を存して設け、上下段に並ぶ横バーに養生シートまたはネットの掛止用として上下方向の棒体を渡すように縦材に近接させて取り付け、この縦材を相互に上下動自在に係合させることを要旨とするものである。
【００２５】
請求項１記載および請求項４記載の本発明によれば、連結装置をクランプで足場フレームに取り付け、この連結装置で隣接する足場フレームを連結することができる。
【００２６】
足場フレームは、通常、構造物に対して固定されていて、当該階の施工が（ほぼ）終了して上層階に足場フレームは不要となり、かつ、さらに下層階が施工されて下層階に足場フレームが必要な状況が生じると、足場フレームを下層階に移動させる。この場合、連結装置の縦材は相互に上下動自在に係合しているので、下降させる足場フレームは隣接する足場フレームに係合しながら移動でき、風にあおられても単独で動くことは阻止でき、不安定になるようなことはない。
【００２７】
また、養生シートまたはネットは、連結装置に設けた縦材に近接する棒体に端部を掛止できるので、隣接する足場フレーム間では隙間を開けずに養生シートまたはネットを貼ることができ、かつ、貼った養生シートまたはネットは隣接する足場フレームが相対移動するのに支障となることはない。
【００２８】
さらに、連結装置はクランプにより足場フレームに簡単に着脱自在に取り付けることができ、足場フレーム本体部分には加工をほどこさないで設けることができるので、連結装置を含めて全体の組立・解体が容易に行えて異なる現場への転用が可能であり、また、クランプで取付角度等の調整ができ、縦材が相互に上下動する際の係合状態確保も容易に行うことができる。
【００２９】
請求項２記載の本発明は、足場フレームは、建物の２フロア分を一度地上で組んであげ、建物を１フロアづつ補修しながら下がってくることを要旨とするものである。
【００３０】
請求項２記載の本発明によれば、足場フレームは、建物の２フロア分を一度地上で組みあげたものであり、１フロア分づつ下降して順次盛り下げるので、下降に大がかりな装置を必要とせず、また、連結装置も最小限の長さのものですむ。
【００３１】
請求項３記載の本発明は、ブラケットは、ブラケット自体を構造物に固定するための取付部として機能するＬ字状部材またはＩ字状部材と把持部材と、ブラケットに対して足場フレームを固定する機能を有している固定部とで構成し、把持部材を残して、固定部との係合で、Ｌ字状部材またはＩ字状部材を回転または引き込みで足場フレーム側に取り込み、足場フレームに付けたままで移動することを要旨とするものである。
【００３２】
請求項３記載の本発明によれば、Ｌ字状部材またはＩ字状部材を回転または引き込みで足場フレーム側に取り込むことで、足場フレームとブラケットとの干渉を回避して足場フレームを上下にスライドさせやすくなる。
【発明の効果】
【００３３】
以上述べたように足場／養生ユニットおよびその連結装置は、構造物に固定されるブラケットと、該ブラケットに上下スライド可能に取り付けられ、その外側面に養生シートまたはネットを貼設する足場フレームとを備えた足場／養生ユニットにおいて、建物の外部養生としては、工事が終わった部屋の前には足場フレームが残ることがないように移動できるので邪魔になることはない。
【００３４】
しかも、隣接する足場フレームが盛り替え時に風にあおられて不安定になるような心配もなく、また、養生シートまたはネットは足場フレームの移動の邪魔にならないようにして貼ることができるとともになるべく隙間を生じないように貼ることができる。
【００３５】
かつ、連結装置は足場フレームに簡単に着脱自在に取り付けることができ、足場フレーム本体部分には加工をほどこさないで設けることができるので、連結装置を含めて全体の組立・解体が容易に行えて異なる現場への転用が可能である。
【発明を実施するための最良の形態】
【００３６】
以下、図面について本発明の実施形態を詳細に説明する。図１は本発明の足場／養生ユニットの１つの実施形態を示す正面図、図２は同上平面図、図３は同上側面図で、前記従来例を示す図３３〜３５と同一構成要素には同一参照番号を付したものである。
【００３７】
図中１は足場フレーム、２はこの足場フレーム１を建設中の建築物などの構造物に対して固定するためのブラケットであり、足場フレーム１は縦方向のスチール製の柱材１１と横方向の連結材１２とこれらの間に配されたブレース１３と、これらの間に架けられた足場板１４とで構成される。
【００３８】
なお、足場フレーム１は枠組み足場であり、図８に示すような枠１ａを使用する。枠１ａは周知なように、連結ピン１ｂで上下段に接続され、また、足場板１４とグラビティロック１ｃに掛止めるブレース１３とで左右に平行する枠１ａ同士が連結されて、枠組まれる。足場フレーム１の最も外側には、落下／転落防止用のネット１０を張る。
【００３９】
ブラケット２は、その第１例を図１１〜１４に示すと、ブラケット２自体を構造物に固定するための取付部として機能するＬ字状部材２０と把持部材２１と、ブラケット２に対して上述した足場フレーム１を固定する機能を有している固定部２２とで構成した。（図１１参照）
【００４０】
Ｌ字状部材２０は、金属製の角パイプを直角に接合させたもので、短尺部には固定部２２をボルト又はピン固定するためのボルト孔２０ｂを一定間隔毎に貫通形成した。また、Ｌ字状部材２０の長尺部側面には、把持部材２１を固定するためのボルト孔２０ｂ′を一定間隔毎に貫通形成した。
【００４１】
Ｌ字状部材２０の長尺部と短尺部との接合部の屈曲内側には、ゴム部材２０ｄを取り付けており、このゴム部材２０ｄはブラケット２自体のズレ止めと構造物への傷付けを防止している。
【００４２】
把持部材２１はこのＬ字状部材２０にはスライド可能に挿入するもので、把持部材２１の角形管状部には、前記Ｌ字状部材２０のボルト孔２０ｂ′に対応するボルト孔２１ａを貫通形成した。
【００４３】
把持部材２１は、このボルト孔２１ａとＬ字状部材２０のボルト孔２０ｂ′とにボルトが挿通されて共締めされることで、Ｌ字状部材２０に対して固定される。また、把持部材２１は、上述した角形管状部の軸方向に対して直角な方向に腕部が延ばされており、この腕部には角形管状部の軸方向（即ち、Ｌ字状部材２０）と平行となるように軸部にネジ溝を形成したストッパ２１ｂを把持部材２１本体の腕部のネジ孔（腕部にナット２１ｄが溶接されている）に螺合する。
【００４４】
ストッパ２１ｂの先端（Ｌ字状部材２０の短尺部と対向する側）に、表面にゴム部材が配置された円錐状の受部２１ｃを取付け、この受部２１ｃも、ブラケット２自体のズレ止めと構造物への傷付けを防止する。
【００４５】
ストッパ２１ｂは、その軸が回転されることで、その軸方向に進退動可能であり、この動きを利用して、Ｌ字状部材２０の短尺部とストッパ２１ｂの受部２１ｃとで構造物の一部を挟み込んでブラケット２を構造物に固定する。ストッパ２１ｂの受部２１ｃとは逆の先端側には、スパナやレンチでストッパ２１ｂを回転させるために六角断面部２１ｅを設けた。
【００４６】
固定部２２は、前記ボルト孔２０ｂを設けたＬ字状部材２０の短尺部にボルト又はピン固定する断面コ字形の結合部材２２ｂに上下に設けたクランプ２２ａを回転軸構造２２ｃで回転自在に設けたものであり、この固定部２２をＬ字状部材２０に対して固定したときにＬ字状部材２０の短尺部と平行となる、クランプ２２ａ自体は、せり上げ用のもので、足場フレーム１は縦方向のスチール製の柱材１１である金属製の丸パイプ（枠１ａの支柱）を固定するものである。
【００４７】
図１３はブラケット２のその第１例のＡタイプを、図１４はＢタイプを示し、Ａタイプは前記説明通りで固定部２２はＬ字状部材２０に対してボルト又はピン固定して結合自在としたが、Ｂタイプは、固定部２２はＬ字状部材２０を分離しないで、回転軸構造２２ｃによりＬ字状部材２０を回転できるようにした。
【００４８】
このようにＬ字状部材２０の特に長尺部を回転させることで、足場フレーム１とブラケット２との干渉を回避して足場フレーム１を上下にスライドさせやすくなる。
【００４９】
図１５〜１８はブラケット２の第２例を示すもので、ブラケット２自体を構造物に固定するための取付部として機能するＬ字状部材２０と把持部材２１と、ブラケット２に対して上述した足場フレーム１を固定する機能を有している固定部２２とで構成した点は前記第１例と同じであるが、Ｌ字状部材２０の短尺部は円管とし、固定部２２の結合部材２２ｂはこの円管に被嵌する円形の鞘管とした。他の構成は前記第１タイプと同様である。
【００５０】
図１７はブラケット２のその第２例のＡタイプを、図１８はＢタイプを示し、Ａタイプは固定部２２の結合部材２２ｂに対してＬ字状部材２０の短尺部が抜け出るようにしたもの、Ｂタイプは回転できるようにしたものである。
【００５１】
Ｂタイプでは、Ｌ字状部材２０の特に短尺部を軸として長尺部を回転させることで、足場フレーム１とブラケット２との干渉を回避して足場フレーム１を上下にスライドさせやすくなる。
【００５２】
図１９〜２１はブラケット２の第３例を示すもので、ブラケット２自体を構造物に固定するための取付部として機能するＬ字状部材２０に代えてＩ字状部材２０′とし、これと把持部材２１と、ブラケット２に対して上述した足場フレーム１を固定する機能を有している固定部２２とで構成した。
【００５３】
把持部材２１は前記第１例と同一のものでよいが、上下に設けたクランプ２２ａを設けた固定部２２はＩ字状部材２０′に対応して、縦管部材２２ｄにこのＩ字状部材２０′が挿通して横移動可能な横鞘管部材２２ｅを設けた。Ｉ字状部材２０′の先端部にはボルト孔２０ｂ′を設け、横鞘管部材２２ｅにもこれに対応したボルト孔２２ｆを形成した。
【００５４】
この第３例では把持部材２１と固定部２２の縦管部材２２ｄとで構造物の一部を挟み込んでブラケット２を構造物に固定するが、図２１に示すように、Ｉ字状部材２０′は把持部材２１を外して横鞘管部材２２ｅ内をスライドさせ、足場フレーム１内に取り込むことで足場フレーム１とブラケット２との干渉を回避して足場フレーム１を上下にスライドさせやすくなる。
【００５５】
図２２、図２３はブラケット２の第４例を示すもので、ブラケット２の構成は、足場フレーム１を固定する機能を有している固定部２２に、構造物に固定するための取付部として機能するものは、１つのアンカー掛止バー２４を回動自在に結合させた。
【００５６】
固定部２２は上下に設けたクランプ２２ａにＬ字形に折り曲げた結合プレート２２ｇを設けたもので、該結合プレート２２ｇの三角形結片にアングル材によるアンカー掛止バー２４の端部を軸着する。
【００５７】
アングル材によるアンカー掛止バー２４の水平折り曲げ片２４ａには、アンカーボルト孔２４ｂ、孔２４ｂ′を形成し、このうちアンカーボルト孔２４ｂ′は位置調整可能なように長孔とした。
【００５８】
アンカー掛止バー２４は構造物、例えばベランダの裏側面に添わせてアンカーボルト２６により取付固定するものであり、固定部２２に対して上下方向に回転でき、図２３に示すように、アンカーボルト２６を外した際に、足場フレーム１と平行に取り込むことで、足場フレーム１とブラケット２との干渉を回避して足場フレーム１を上下にスライドさせやすくなる。
【００５９】
図３に示すように、足場フレーム１は、建物の２フロア分を一度地上で組んで、屋上まであげ、建物を１フロアづつ補修しながら下がってくるものであり、最上部に雨養生屋根２７を、最下部に最下部隙間養生３３を取り付けることができる。
【００６０】
雨養生屋根２７は、図９に示すように、角パイプによる斜材を垂木２８として、その上にシート等の屋根材２９を張設するもので、垂木２８は本体部分となる鞘管２８ａに中子２８ｂを引出可能に収めて長さ方向に伸長可能に形成する。これら鞘管２８ａと中子２８ｂとにトグルピンの係合孔を形成して、段階的な長さで固定できるようにする。
【００６１】
図中３０は吊り束、３１は梁で、これらをもって垂木２８を支承することで雨養生屋根２７を形成し、連結ピンで足場フレーム１の上端に取り付けた。これら垂木２８、吊り束３０、梁３１は１つの枠部材として構成し、枠１ａに連結することで、枠１ａと同じく適宜間隔で足場フレーム１に設置することができる。この雨養生屋根２７には吊りピース３２を設ける。
【００６２】
垂木２８の鞘管２８ａの中子２８ｂは建物方向に引出可能であり、伸長することで足場フレーム１と建物との隙間を覆う。
【００６３】
最下部隙間養生３３は図１０に示すように、梁３４とこの梁３４の下側面に張るネット３５によるものであり、梁３４は本体部分となる鞘管３４ａに中子３４ｂを引出可能に収めて長さ方向に伸長可能に形成した。前記雨養生屋根２７の垂木２８と同様にこれら鞘管３４ａと中子３４ｂとにトグルピンの係合孔を形成して、段階的な長さで固定できるようにする。
【００６４】
梁３４は、つぶし加工した吊管３４ｃを取り付けてあり、該吊管３４ｃを足場フレーム１の柱材１１に結合させることで、枠１ａと同じく適宜間隔で足場フレーム１に設置することができる。
【００６５】
梁３４は鞘管３４ａに対して中子３４ｂを建物方向に引出可能であり、これで足場フレーム１と建物との隙間を覆うことができ、ネット３５は先端をチェーンコマで掛止する。
【００６６】
隣接する足場フレーム１は、連結装置３で連結する。この連結装置３は図４、図５に示すように、角パイプのよる縦材１８と、この縦材１８に摺動自在に嵌めるリップみぞ形のチャンネル材による縦材１９と、これら相互に上下動自在に係合する縦材１８、１９に上下間隔を存して横バー４を設け、横バー４にクランプ５を取り付けたものである。なお、縦材１８、１９の長さは、建物の２フロア分を組んでなる足場フレーム１の高さに合わせたものとする。
【００６７】
図示の例では、横バー４は上下に４個を設けたが、この上下段の横バー４に養生シートまたはネットの掛止用として上下方向の棒体６を渡すように取り付けた。棒体６には丸棒（φ９ｍｍ）を用いる。
【００６８】
該棒体６は縦材１８、１９に対して少しの隙間を開けて平行するように設け、先端部分は縦材１８、１９の上下端にフランジ７を取り付け、これで係止する。
【００６９】
図２４〜２７は、連結装置３の他例を示すもので、縦材１８、１９はそれぞれ軽みぞ（形鋼）の断面コ字形のチャンネル材であり、これらを直接嵌め合わせるのではなく、一方の縦材１８に係合用のフック８をボルト止め等で取り付け、このフック８を他の縦材１９に上下動自在に係合させた。縦材１８、１９は相互にその開口面が外向きになるようにして係合する。
【００７０】
縦材１８、１９に上下間隔を存して横バー４を設け、横バー４にクランプ５を取り付け、横バー４に養生シートまたはネットの掛止用として上下方向の棒体６を渡すように取り付けた点は前記図４、図５と同様である。棒体６は縦材１８、１９に重ねるようにして平行に設けた。
【００７１】
次に、使用法について説明する。先にも述べたように、足場フレーム１は、建物の２フロア分を一度地上で組んで、屋上までクレーン等であげ、建物を１フロアづつ補修しながら下がってくるものである。
【００７２】
クランプ５を介して連結装置３は足場フレーム１の外側の柱材１１に取り付けられ、縦材１８、１９が係合することで、隣接する足場フレーム１はこの連結装置３により、横方向で連結している。
【００７３】
また、養生シートまたはネットのうち、図示の例は落下／転落防止用のネット１０であるが、これは端部を棒体６に掛止めすることで、足場フレーム１の外側に張り巡らすことができる。
【００７４】
足場フレーム１は、ベランダ（バルコニー）の端部に挟み込みで取り付ける、またはアンカーボルトで係止めるブラケット２により、その固定部２２のクランプ２２ａをもって固定され、このブラケット２で支承される。
【００７５】
Ｌ字状部材２０の短尺部と把持部材２１とでベランダ（バルコニー）の立ち上がり部を挟み込み、これにより、ブラケット２を建物のベランダ（バルコニー）に固定する。
【００７６】
図３０〜図３２は盛り代えの様子を示すものであり、足場フレーム１は、作業階（設置階）よりも一つ置いて上の階に設置したブラケット９で吊支する電気チェーンブロック１７もしくは電動ウインチで吊降ろす。
【００７７】
その際、ブラケット２は建物への足場フレーム１への固定を解除する。（図３１参照）
【００７８】
図２８、図２９はこのような足場フレーム１の下降を示すもので、足場フレーム１は連結装置３で左右の足場フレーム１と連結状態を保ちながら１階分下降する。
【００７９】
なお、足場フレーム１の下降の際には、雨養生屋根２７と最下部隙間養生３３は縮小して、邪魔にならないようにする。また、ブラケット２は、例えば、前記第１例のＡパターン、第２例のＡパターンでは、固定部２２は足場フレーム１側で盛り代え、足場フレーム１の下部のものを上部へと移す。
【００８０】
このようにしてから、足場フレーム１を一階（フロア）分下げ、ブラケット２で固定する。
【００８１】
横並びで連結する足場フレーム１を順次、一階（フロア）分下げたならば、ブラケット２は討手返しで付替え、再度の一階分の下降に備える。
【図面の簡単な説明】
【００８２】
【図１】本発明の足場／養生ユニットの１実施形態を示す正面図である。
【図２】本発明の足場／養生ユニットの１実施形態を示す平面図である。
【図３】本発明の足場／養生ユニットの１実施形態を示す側面図である。
【図４】本発明の足場／養生ユニットで使用する連結装置の第１例を示す正面図である。
【図５】本発明の足場／養生ユニットで使用する連結装置の第１例を示す平面図である。
【図６】足場フレームの正面図である。
【図７】足場フレームの平面図である。
【図８】足場フレームで使用する枠の正面図である。
【図９】雨養生屋根の側面図である。
【図１０】最下部隙間養生の側面図である。
【図１１】ブラケットの第１例を示す部材構成の説明図である。
【図１２】ブラケットの第１例を示す固定状態の説明図である。
【図１３】ブラケットの第１例を示すＡパターンの説明図である。
【図１４】ブラケットの第１例を示すＢパターンの説明図である。
【図１５】ブラケットの第２例を示す部材構成の説明図である。
【図１６】ブラケットの第２例を示す固定状態の説明図である。
【図１７】ブラケットの第２例を示すＡパターンの説明図である。
【図１８】ブラケットの第２例を示すＢパターンの説明図である。
【図１９】ブラケットの第３例を示す部材構成の説明図である。
【図２０】ブラケットの第３例を示す固定状態の説明図である。
【図２１】ブラケットの第３例を示す解除状態の説明図である。
【図２２】ブラケットの第４例を示す説明図である。
【図２３】ブラケットの第４例を示す解除状態の側面図である。
【図２４】本発明の足場／養生ユニットで使用する連結装置の第２例を示す平面図である。
【図２５】本発明の足場／養生ユニットで使用する連結装置の第２例を示す要部の平面図である。
【図２６】本発明の足場／養生ユニットで使用する連結装置の第２例を示す要部の正面図である。
【図２７】本発明の足場／養生ユニットで使用する連結装置の第２例を示す正面図である。
【図２８】本発明の足場／養生ユニットの１実施形態を示す下降時の正面図である。
【図２９】本発明の足場／養生ユニットの１実施形態を示す下降時の平面図である。
【図３０】本発明の足場／養生ユニットの盛り代え時の第１工程の側面図である。
【図３１】本発明の足場／養生ユニットの盛り代え時の第２工程の側面図である。
【図３２】本発明の足場／養生ユニットの盛り代え時の第３工程の側面図である。
【図３３】従来例を示す正面図である。
【図３４】従来例を示す側面図である。
【図３５】従来例のブラケット部分の説明図である。
【符号の説明】
【００８３】
１…足場フレーム                １ａ…枠
１ｂ…連結ピン                  １ｃ…グラビティロック
２…ブラケット
３…連結装置                    ４…横バー
５…クランプ                    ６…棒体
７…フランジ                    ８…フック
９…ブラケット                  １０…ネット
１１…柱材                      １２…横方向の連結材
１３…ブレース                  １４…足場板
１５…ガイドレール              １６…隙間プレート
１７…電気チェーンブロック
１８、１９…縦材                ２０…Ｌ字状部材
２０′…Ｉ字状部材              ２０ｂ、２０ｂ′…ボルト孔
２０ｄ…ゴム部材                ２１…把持部材
２１ａ…ボルト孔                ２１ｂ…ストッパ
２１ｃ…受部                    ２１ｄ…ナット
２１ｅ…六角断面部
２２…固定部                    ２２ａ…クランプ
２２ｂ…結合部材                ２２ｃ…回転軸構造
２２ｄ…縦管部材                ２２ｅ…横鞘管部材
２２ｇ…結合プレート
２４…アンカー掛止バー          ２４ａ…水平折り曲げ片
２４ｂ、２４ｂ′…アンカーボルト孔
２６…アンカーボルト
２７…雨養生屋根                ２８…垂木
２８ａ…鞘管                    ２８ｂ…中子
２９…屋根材                    ３０…吊り束
３１…梁                        ３２…吊りピース
３３…最下部隙間養生            ３４…梁
３４ａ…鞘管                    ３４ｂ…中子
３３ｃ…吊管                    ３５…ネット
【図１】
0005292441.tif 000002
【図２】
0005292441.tif 000003
【図３】
0005292441.tif 000004
【図４】
0005292441.tif 000005
【図５】
0005292441.tif 000006
【図６】
0005292441.tif 000007
【図７】
0005292441.tif 000008
【図８】
0005292441.tif 000009
【図９】
0005292441.tif 000010
【図１０】
0005292441.tif 000011
【図１１】
0005292441.tif 000012
【図１２】
0005292441.tif 000013
【図１３】
0005292441.tif 000014
【図１４】
0005292441.tif 000015
【図１５】
0005292441.tif 000016
【図１６】
0005292441.tif 000017
【図１７】
0005292441.tif 000018
【図１８】
0005292441.tif 000019
【図１９】
0005292441.tif 000020
【図２０】
0005292441.tif 000021
【図２１】
0005292441.tif 000022
【図２２】
0005292441.tif 000023
【図２３】
0005292441.tif 000024
【図２４】
0005292441.tif 000025
【図２５】
0005292441.tif 000026
【図２６】
0005292441.tif 000027
【図２７】
0005292441.tif 000028
【図２８】
0005292441.tif 000029
【図２９】
0005292441.tif 000030
【図３０】
0005292441.tif 000031
【図３１】
0005292441.tif 000032
【図３２】
0005292441.tif 000033
【図３３】
0005292441.tif 000034
【図３４】
0005292441.tif 000035
【図３５】
0005292441.tif 000036